(57)【要約】      （修正有）【課題】着物と帯との少なくともいずれかひとつの生地を甲部分に使い外観美麗で耐久性のある外縫いタイプのスリッパを提供する。【解決手段】スリッパ１は、床面２に接地し、足の裏面を支える底部分３と、足の甲を被う甲部分４とから成り、底部分３と甲部分４を合わせた後、周囲を外縫いで縫製する。日本の伝統美の着物と帯との少なくともいずれかひとつの生地を甲部分４の表面に用い、７層からなる底部分３と１層の底裏で構成された外縫いで縫製されたスリッパ１を製造することにより、処分されてしまう日本の伝統美の着物や帯を贈答品として活用することができ、形を変えて次世代に繋ぐことができる。【選択図】図１
0003231101.tif 000002
【実用新案登録請求の範囲】
【請求項１】
床面に接地する底部分と足の甲を被う甲部分とから成るスリッパにおいて、前記底部分は、接地層と前記接地層の上層を構成する芯材層と前記芯材層の上層を構成する表面層とで構成され、前記甲部分の最表面には着物と帯との少なくともいずれかひとつの生地を使用してある外縫いタイプのスリッパ。
【請求項２】
芯材層のかかと領域は高反発材から成る芯材を２層積層配置させてなる請求項１に記載の外縫いタイプのスリッパ。
【請求項３】
芯材層と表面層との間に中反発のクッション材を配置してある請求項１又は２に記載の外縫いタイプのスリッパ。
【請求項４】
表面層はクッション材を３層積層配置させてなる請求項１〜３のいずれか１項に記載の外縫いタイプのスリッパ。
【請求項５】
底部分は表面層を被覆する合成皮革から成る被覆層をさらに備える請求項１〜４に記載の外縫いタイプのスリッパ。
【請求項６】
接地層は床面に接地するフェルト材と前記合成皮革の上層を構成する芯材とで構成されている請求項１〜５のいずれか１項に記載の外縫いタイプのスリッパ。
【請求項７】
前記甲部分は前記着物と帯との少なくともいずれかひとつの生地の裏面に接着芯を貼り付けてある請求項１〜６のいずれか１項に記載の外縫いタイプのスリッパ。
【請求項８】
前記甲部分は前記接着芯の裏面に通気性機能をもつ生地を配置してある請求項１〜７のいずれか１項に記載の外縫いタイプのスリッパ。
【請求項９】
甲部分の履き口の周囲縁部分に、足との擦れによる摩耗を防止するための合成皮革から成るカバー部材を配置してある請求項１〜８のいずれか１項に記載の外縫いタイプのスリッパ。
【考案の詳細な説明】
【考案の詳細な説明】
【技術分野】
【０００１】本考案は、外縫いタイプで着物と帯との少なくともいずれかひとつの生地を使い外観美麗で耐久性のあるスリッパに関するものである。
【背景技術】
【０００２】従来の室内等で履かれるスリッパは、床に接地される底部分と足裏に接する表面部分を重ね合わせ、前方部分に足の甲を入れる空間を被うアッパー部分を有しており、それぞれの形状に合わせた芯材を皮革や布等で被い、足裏に接する表面部分には平らなクッション材等を内包し、底部分、表面部分、アッパー部分を吊込み又は外縫いの形で接着等組み立て、縫製されているスリッパが一般的である。そのような従来のスリッパを示すものとして下記特許文献１がある。【０００３】従来の室内等で履かれる甲部分が被われた合成皮革のスリッパは、高級感に欠けたスリッパとなっていた。【０００４】従来の室内等で履かれるスリッパは、贈答用のスリッパがなく自宅用のスリッパに限られていた。【０００５】従来の室内等で履かれるスリッパは、日本の伝統美を感じさせることができるスリッパがなく洋式のスリッパが一般的であった。【０００６】また、現在、着物を所有されている方は、着物を着る機会もなく、着物を受け継ぐ家族もおらず着物を処分しなくてはいけない現状に置かれている。【０００７】そこで、履き心地よく外観美麗で、日本の伝統美を感じさせることができる着物と帯との少なくともいずれかひとつの生地で作った贈答用に用いることができる外縫いタイプのスリッパが望まれるところである。
【先行技術文献】
【特許文献】
【０００８】
【特許文献１】実用新案登録第３２０８７８９号公報
【考案の概要】
【考案が解決しようとする課題】
【０００９】以上の現状を鑑み、本考案は、履き心地よく外観美麗で、日本の伝統美を感じさせる着物と帯との少なくともいずれかひとつの生地で作った贈答用に用いることができる外縫いタイプのスリッパを提供することを課題とする。
【課題を解決するための手段】
【００１０】そこで、本考案の第１の特徴に係るスリッパは、床面に接地する底部分と足の甲を被う甲部分とから成るスリッパにおいて、前記底部分は、接地層と前記接地層の上層を構成する芯材層と前記芯材層の上層を構成する表面層とで構成され、前記甲部分の最表面には着物と帯との少なくともいずれかひとつの生地を使用してあることを第１の特徴としている。【００１１】また、本考案の第２の特徴に係るスリッパは、上記第１の特徴に加えて、芯材層のかかと領域は高反発材から成る芯材を２層積層配置させてなることを第２の特徴としている。【００１２】また、本考案の第３の特徴に係るスリッパは、上記第１又は第２の特徴に加えて、芯材層と表面層との間に中反発のクッション材を配置してあることを第３の特徴としている。【００１３】また、本考案の第４の特徴に係るスリッパは、上記第１〜第３の何れか１つの特徴に加えて、表面層はクッション材を３層積層配置させてなることを第４の特徴としている。【００１４】また、本考案の第５の特徴に係るスリッパは、上記第１〜第４の何れか１つの特徴に加えて、底部分は表面層を被覆する合成皮革から成る被覆層をさらに備えることを第５の特徴としている。【００１５】また、本考案の第６の特徴に係るスリッパは、上記第１〜第５の何れか１つの特徴に加えて、接地層は床面に接地するフェルト材と前記合成皮革の上層を構成する芯材とで構成されていることを第６の特徴としている。【００１６】また、本考案の第７の特徴に係るスリッパは、上記第１〜第６の何れか１つの特徴に加えて、前記甲部分は前記着物と帯との少なくともいずれかひとつの生地の裏面に接着芯を貼り付けてあることを第７の特徴としている。【００１７】また、本考案の第８の特徴に係るスリッパは、上記第７の特徴に加えて、前記甲部分は前記接着芯の裏面に通気性機能をもつ生地を配置してあることを第８の特徴としている。【００１８】また、本考案の第９の特徴に係るスリッパは、上記第１〜第８の何れか１つの特徴に加えて、甲部分の履き口の周囲縁部分に、足との擦れによる摩耗を防止するための合成皮革から成るカバー部材を配置してあることを第９の特徴としている。
【考案の効果】
【００１９】請求項１に係る考案は、床面に接地する底部分と足の甲を被う甲部分とから成るスリッパにおいて、前記底部分は、接地層と前記接地層の上層を構成する芯材層と前記芯材層の上層を構成する表面層とで構成され、前記甲部分の最表面には着物と帯との少なくともいずれかひとつの生地を使用してある外縫いタイプのスリッパであるので、外観美麗で、日本の伝統美を感じさせることができ、贈答用に用いることができる。【００２０】請求２に係る考案は、芯材層のかかと領域は高反発材から成る芯材を２層積層配置させてなる請求項１に記載の外縫いタイプのスリッパであるので、足の裏面に高低差ができ、足や膝への負担の軽減ができ快適な歩きやすさを実現することができる。【００２１】請求項３に係る考案は、芯材層と表面層との間に中反発のクッション材を配置してある請求項１又は２に記載の外縫いタイプのスリッパであるので、様々なサイズの踵にフィットする事ができ滑らかに歩きやすさを実現することができる。【００２２】請求項４に係る考案は、表面層はクッション材を３層積層配置させてなる請求項１〜３のいずれか１項に記載の外縫いタイプのスリッパであるので、つま先から踵まで足裏全面の凹凸にフィットする事ができより快適な履き心地を実現できる。【００２３】請求項５に係る考案は、底部分は表面層を被覆する合成皮革から成る被覆層をさらに備える請求項１〜４に記載の外縫いタイプのスリッパであるので、足裏との接地面のスリッパ底表面の汚れの除去することができ清潔さを実現できる。【００２４】請求項６に係る考案は、接地層は床面に接地するフェルト材と前記合成皮革の上層を構成する芯材とで構成されている請求項１〜５のいずれか１項に記載の外縫いタイプのスリッパであるので、足や膝への負担を軽減でき歩きやすさと歩く足音が静かにすることを実現できる。【００２５】請求項７に係る考案は、前記甲部分は前記着物と帯との少なくともいずれかひとつの生地の裏面に接着芯を貼り付けてある請求項１〜６のいずれか１項に記載の外縫いタイプのスリッパであるので、外観美麗で高級なスリッパを実現することができる。【００２６】請求項８に係る考案は、前記甲部分は前記接着芯の裏面に通気性機能をもつ生地を配置してある請求項７に記載の外縫いタイプのスリッパであるので、使用時の通気性を実現することができる。【００２７】請求項８にかかる考案は、甲部分の履き口の周囲縁部分に足との擦れによる摩耗を防止するための合成皮革から成るカバー部材を配置してある前記１〜８のいずれか１項に記載の外縫いタイプのスリッパであるので、履き口が擦れてスリッパが傷むことなく履くことができる。
【図面の簡単な説明】
【００２８】
【図１】本考案の実施形態にかかるスリッパの全体斜視図である。
【図２】本考案の実施形態にかかるスリッパの側面図である。
【図３】本考案の実施形態にかかるスリッパにおける図２のＡ―Ａ線断面図である。
【図４】本考案の実施形態にかかるスリッパの平面図である。
【図５】本考案の実施形態にかかるスリッパの底面図である。
【考案を実施するための形態】
【００２９】本考案を実施するための形態を添付図に基づいて説明する。
【実施例１】
【００３０】図１で示すようにスリッパ１は、床面２に接地し足の裏面を支える底部分３と足の甲を被う甲部分４とから成り、底部分３と甲部分４を合わせた後周囲を外縫いで縫製してなるスリッパである。【００３１】前記底部分３は  接地層３１と前記接地層３１の上層を構成する芯材層３２と前記芯材層３２の上層を構成する表面層３３で構成されている。【００３２】前記甲部分４は  裏面に接着芯４２を貼り付けた表面４１に通気性と肌触りがよいパイル生地４３を裏面に合わせ、履き口４４を合成皮革３１２で包容し縫製したものである。【００３３】底部分３の接地層の芯材には、床との接地面との衝撃を吸収することができる高反発のＥＶＡ樹脂（エチレンと酢酸ビニル共重合体させた合成樹脂）３２４を用いて構成されている。【００３４】一般的なスリッパはつま先から踵まで板状に平らに作られているが、底部分３の芯材層の３２に、高反発のＥＶＡ樹脂３２４と中反発のウレタン材３２３の２種類の芯材を用いることにより  靴のように踵とつま先との高低差をつけることができかつ踵部分のクッションにより長時間履いていても足や膝への負担を軽減し履き心地のよいスリッパにすることができる。【００３５】一般的なスリッパは踵部分を靴のように覆っておらず脱げやすいが、底部分３の芯材層３２の、中反発のウレタン３２３と芯材層３２の表面層３１２の下に３層のウレタン材３２２を用いることにより、つま先から踵までをクッションで包むことができ、脱げにくく履きやすさを向上させることができる。【００３６】前記甲部分４を被う表面４１は、着物と帯との少なくともいずれかひとつを生地として用いることにより、綿、ポリエステル、合成皮革などの一般的な生地と比較し日本の伝統美として外観を向上させることができデザイン性のよいスリッパを得ることができる。【００３７】甲部分の全て被う一般的なスリッパは、足先に蒸れが生じやすいが甲部分４の表面４１に絹の着物と帯との少なくともいずれかひとつの生地に接着芯を貼り付けた下裏面４３にポリエステルのパイル生地を用いることにより通気性を実現することができる。【００３８】甲部分と底部分とを合わせた後に縫製する縫製糸には太番手で繊維強度の高い糸を用い、接地層の前記芯材と接地層のフェルト材３２５に食い込ませながら縫製５１をすることにより、外観美麗な縁取りと底裏を実現することができる。
【実施例２】
【００３９】日本の伝統美の着物や帯は、嫁入りや慶事等で揃えていたが生活様式の変遷から着る機会が減り受け継ぐ人も譲る人もなく処分されるのが現状であるが、着物や帯の少なくともいずれかひとつの生地でスリッパに作り直すことにより、譲り渡すことも受け継ぐこともでき日本の伝統を繋ことができる。【００４０】本考案のスリッパは  室内用スリッパとして、贈答用スリッパとして好適である。
【符号の説明】
【００４１】１      スリッパ
２      床面
３      底部分
４      甲部分
５      底裏
３１      接地層
３２      芯材層
３３      表面層
４１      表面
４２      接着芯
４３      裏面
４４      履き口
５１      縫製ステッチ
３１１    ＥＶＡ樹脂
３１２    合成皮革
３２２    ウレタン材
３２３    中反発ウレタン材
３２４    高反発ＥＶＡ樹脂
３２５    フェルト材
４１１    帯または着物
【図１】
0003231101.tif 000003
【図２】
0003231101.tif 000004
【図３】
0003231101.tif 000005
【図４】
0003231101.tif 000006
【図５】
0003231101.tif 000007
【手続補正書】
【提出日】令和2年12月14日(2020.12.14)
【手続補正１】
【補正対象書類名】実用新案登録請求の範囲
【補正対象項目名】全文
【補正方法】変更
【補正の内容】
【実用新案登録請求の範囲】
【請求項１】
床面に接地する底部分と足の甲を被う甲部分とから成るスリッパにおいて、前記底部分は、接地層と前記接地層の上層を構成する芯材層と前記芯材層の上層を構成する表面層とで構成され、前記甲部分の最表面には着物と帯との少なくともいずれかひとつの生地を使用してある外縫いタイプのスリッパ。
【請求項２】
芯材層のかかと領域は高反発材から成る芯材を２層積層配置させてなる請求項１に記載の外縫いタイプのスリッパ。
【請求項３】
芯材層と表面層との間に中反発のクッション材を配置してある請求項１又は２に記載の外縫いタイプのスリッパ。
【請求項４】
表面層はクッション材を３層積層配置させてなる請求項１〜３のいずれか１項に記載の外縫いタイプのスリッパ。
【請求項５】
底部分は表面層を被覆する合成皮革から成る被覆層をさらに備える請求項１〜４のいずれか１項に記載の外縫いタイプのスリッパ。
【請求項６】
接地層は床面に接地するフェルト材と前記フェルト材の上層を構成する芯材とで構成されている請求項１〜５のいずれか１項に記載の外縫いタイプのスリッパ。
【請求項７】
甲部分は着物と帯との少なくともいずれかひとつの生地の裏面に接着芯を貼り付けてある請求項１〜６のいずれか１項に記載の外縫いタイプのスリッパ。
【請求項８】
甲部分は接着芯の裏面に通気性機能をもつ生地を配置してある請求項７に記載の外縫いタイプのスリッパ。
【請求項９】
甲部分の履き口の周囲縁部分に、足との擦れによる摩耗を防止するための合成皮革から成るカバー部材を配置してある請求項１〜８のいずれか１項に記載の外縫いタイプのスリッパ。
【手続補正２】
【補正対象書類名】明細書
【補正対象項目名】００１５
【補正方法】変更
【補正の内容】
【００１５】  また、本考案の第６の特徴に係るスリッパは、上記第１〜第５の何れか１つの特徴に加えて、接地層は床面に接地するフェルト材と前記フェルト材の上層を構成する芯材とで構成されていることを第６の特徴としている。
【手続補正３】
【補正対象書類名】明細書
【補正対象項目名】００１６
【補正方法】変更
【補正の内容】
【００１６】  また、本考案の第７の特徴に係るスリッパは、上記第１〜第６の何れか１つの特徴に加えて、甲部分は着物と帯との少なくともいずれかひとつの生地の裏面に接着芯を貼り付けてあることを第７の特徴としている。
【手続補正４】
【補正対象書類名】明細書
【補正対象項目名】００１７
【補正方法】変更
【補正の内容】
【００１７】  また、本考案の第８の特徴に係るスリッパは、上記第７の特徴に加えて、甲部分は接着芯の裏面に通気性機能をもつ生地を配置してあることを第８の特徴としている。
【手続補正５】
【補正対象書類名】明細書
【補正対象項目名】００２３
【補正方法】変更
【補正の内容】
【００２３】  請求項５に係る考案は、底部分は表面層を被覆する合成皮革から成る被覆層をさらに備える請求項１〜４のいずれか１項に記載の外縫いタイプのスリッパであるので、足裏との接地面のスリッパ底表面の汚れの除去することができ清潔さを実現できる。
【手続補正６】
【補正対象書類名】明細書
【補正対象項目名】００２４
【補正方法】変更
【補正の内容】
【００２４】  請求項６に係る考案は、接地層は床面に接地するフェルト材と前記フェルト材の上層を構成する芯材とで構成されている請求項１〜５のいずれか１項に記載の外縫いタイプのスリッパであるので、足や膝への負担を軽減でき歩きやすさと歩く足音が静かにすることを実現できる。
【手続補正７】
【補正対象書類名】明細書
【補正対象項目名】００２５
【補正方法】変更
【補正の内容】
【００２５】  請求項７に係る考案は、甲部分は着物と帯との少なくともいずれかひとつの生地の裏面に接着芯を貼り付けてある請求項１〜６のいずれか１項に記載の外縫いタイプのスリッパであるので、外観美麗で高級なスリッパを実現することができる。
【手続補正８】
【補正対象書類名】明細書
【補正対象項目名】００２６
【補正方法】変更
【補正の内容】
【００２６】  請求項８に係る考案は、甲部分は接着芯の裏面に通気性機能をもつ生地を配置してある請求項７に記載の外縫いタイプのスリッパであるので、使用時の通気性を実現することができる。